(57)【特許請求の範囲】
【請求項１】
前後方向中央を含む前後方向範囲である股間部と、前後方向中央より前側に延在する前身頃と、前後方向中央より後側に延在する後身頃と、前身頃から後身頃まで延在する吸収体と、吸収体の表面側を覆う液透過性トップシートと、吸収体の裏面側を覆う液不透過性シートとを備え、
前記前身頃及び後身頃を構成する外装シートと、この外装シートの内面に固定された、前記吸収体を含む内装体とを備え、前身頃における外装シートの両側部と後身頃における外装シートの両側部とがそれぞれ接合されることにより、胴回り部が環状に形成されるとともに、ウエスト開口部及び左右一対の脚開口部が形成された、パンツタイプ使い捨ておむつであって、
前記吸収体は、前身頃に位置する前側部分と後身頃に位置する後側部分のうち少なくとも一方に、ウエスト側の縁の幅方向中央部から股間側に窪む形状の凹欠部を有しており、
前記外装シートにおける前記凹欠部と対応する縦方向領域のうち、前記凹欠部内及びその側部近傍と重なる幅方向中間部に胴締め付け用弾性伸縮部材を幅方向に伸長した状態で取り付け、前記幅方向中間部より幅方向外側には弾性伸縮部材が設けられていない、
ことを特徴とする使い捨ておむつ。
【請求項２】
前記胴締め付け用弾性伸縮部材は、前記吸収体よりも裏面側に設けられており、前記吸収体は、前記凹欠部の周縁部が他の部位よりも前記トップシート側に膨出している、請求項１記載の使い捨ておむつ。
【請求項３】
前記凹欠部は、前記ウエスト側から前記股間側に向かうにつれて幅が広くなる形状を有している、請求項１又は２記載の使い捨ておむつ。
【請求項４】
前記胴締め付け用弾性伸縮部材として、細長状弾性伸縮部材が対応する前記凹欠部に対して縦方向に間隔を空けて複数本設けられており、且つ凹欠部のうち縦方向中央よりもウエスト側に位置する部分が股間側に位置する部分よりも、幅方向に１５０％伸長したときの引張応力が強い、請求項１〜３のいずれか１項に記載の使い捨ておむつ。
【発明の詳細な説明】
【技術分野】
【０００１】
本発明は、使い捨ておむつに関するものである。
【背景技術】
【０００２】
乳幼児用の使い捨ておむつには、主に大別してテープタイプと、パンツタイプとがあり、一般に、ハイハイをし出す前はテープタイプが使用し易く、その後はパンツタイプが使用し易い。
一般的なパンツタイプ使い捨ておむつは、前身頃及び後身頃を有する外装シートと、この外装シートの内面に固定された、吸収体を含む内装体とを備え、外装シートの前身頃と後身頃とが両側部において接合されることにより、ウエスト開口部及び左右一対の脚開口部が形成されているものである。
パンツタイプ使い捨ておむつにおいては、身体へのフィット性を向上させるために、外装シートに、種々の弾性伸縮部材を伸長状態で固定することが行われており、ウエスト開口部の縁部において幅方向に沿うウエスト縁部弾性伸縮部材、ならびにウエスト縁部弾性伸縮部材よりも股間側において幅方向に沿うウエスト下部弾性伸縮部材及び中間部弾性伸縮部材を設けることが、広く採用されている（例えば特許文献１参照）。
一方、テープタイプ使い捨ておむつは、パンツタイプ使い捨ておむつと比べて胴回り方向のフィット性に劣るため、これを改善するために、背側部分のウエスト下部に幅方向に沿って弾性伸縮する背側弾性伸縮部材を設けたり、ファスニングテープに弾性伸縮する部材を設けたりすることが知られている（例えば特許文献２参照）。
しかし、これら従来の使い捨ておむつにおいては、ウエスト下部に設けられる弾性伸縮部材が幅方向全体にわたるか、又は幅方向中央部を除いて幅法両側に設けられていたため、腸骨部分（特に上前腸骨棘や腸骨稜）における締め付けが相対的に強くなり、摩擦に起因するカブレ等、肌トラブルをもたらすことがあった。
【先行技術文献】
【特許文献】
【０００３】
【特許文献１】特開２００８−１８８０５０号公報
【特許文献２】特開２０１０−１５４９２８号公報
【特許文献３】特開平９−３１３３９４号公報
【特許文献４】特開２０１０−９９２６６号公報
【特許文献５】特開２００４−２４３０４号公報
【発明の概要】
【発明が解決しようとする課題】
【０００４】
そこで、本発明の主たる課題は、胴回りの締め付けを確保しつつ、腸骨部分における摩擦を緩和し、カブレを防止することにある。
【課題を解決するための手段】
【０００５】
上記課題を解決した本発明は次記のとおりである。
＜請求項１記載の発明＞
前後方向中央を含む前後方向範囲である股間部と、前後方向中央より前側に延在する前身頃と、前後方向中央より後側に延在する後身頃と、前身頃から後身頃まで延在する吸収体と、吸収体の表面側を覆う液透過性トップシートと、吸収体の裏面側を覆う液不透過性シートとを備え、
前記前身頃及び後身頃を構成する外装シートと、この外装シートの内面に固定された、前記吸収体を含む内装体とを備え、前身頃における外装シートの両側部と後身頃における外装シートの両側部とがそれぞれ接合されることにより、胴回り部が環状に形成されるとともに、ウエスト開口部及び左右一対の脚開口部が形成された、パンツタイプ使い捨ておむつであって、
前記吸収体は、前身頃に位置する前側部分と後身頃に位置する後側部分のうち少なくとも一方に、ウエスト側の縁の幅方向中央部から股間側に窪む形状の凹欠部を有しており、
前記外装シートにおける前記凹欠部と対応する縦方向領域のうち、前記凹欠部内及びその側部近傍と重なる幅方向中間部に胴締め付け用弾性伸縮部材を幅方向に伸長した状態で取り付け、前記幅方向中間部より幅方向外側には弾性伸縮部材が設けられていない、
ことを特徴とする使い捨ておむつ。
【０００６】
（作用効果）
このように、吸収体に凹欠部を設け、凹欠部と対応する縦方向領域のうち、凹欠部内及びその側部近傍と重なる幅方向中間部にのみ胴締め付け用弾性伸縮部材を設けると、腸骨部分への締め付けがきつくならず、腸骨部分における摩擦が緩和され、カブレが発生し難くなる。しかも、凹欠部の幅は吸収体の変形により伸縮変化可能であるため、胴締め付け用弾性伸縮部材による胴回りの締め付け機能も確保される。
【０００７】
さらに、胴締め付け用弾性伸縮部材を有する身頃においては、胴締め付け用弾性伸縮部材の収縮作用により幅方向に張られた状態となるため、排泄物がトップシート表面から肌に戻り難くなり、カブレ防止効果がより一層のものとなる。また、後身頃に胴締め付け用弾性伸縮部材を有する場合には、後身頃の臀裂対向部が幅方向に張られた状態となるため、おむつが臀裂に食い込み難くなり、装着時の不快感を防止できるという効果も有する。
【０００８】
また、最も蒸れやすい部分に凹欠部が設けられ、通気性が向上するため、この点でもカブレ防止効果がより一層のものとなる。
【０００９】
＜請求項２記載の発明＞
前記胴締め付け用弾性伸縮部材は、前記吸収体よりも裏面側に設けられており、前記吸収体は、前記凹欠部の周縁部が他の部位よりも前記トップシート側に膨出している、請求項１記載の使い捨ておむつ。
【００１０】
（作用効果）
吸収体に凹欠部を設けると吸収量が低下し、凹欠部内を通じて背漏れ又は腹漏れするおそれがある。これに対して、上述のように、吸収体の厚みを凹欠部の周縁部において他の部位よりも厚くすると、凹欠部の周縁部が堤体となって排泄物が凹欠部内に流れ込むのが阻止されるとともに、身体表面に対する隙間も発生し難くなるため、凹欠部内を通じた背漏れ又は腹漏れを防止できるようになる。また、凹欠部の周縁部の厚みにより、胴締め付け用弾性伸縮部材が身体表面から遠い位置に離れて保持され、凹欠部内を介して身体表面を締め付けるといった状態になり難い。よって、胴締め付け用弾性伸縮部材が凹欠部内を介して身体表面を締め付けることに起因する摩擦増及びそれによるカブレも防止される。
【００１１】
＜請求項３記載の発明＞
前記凹欠部は、前記ウエスト側から前記股間側に向かうにつれて幅が広くなる形状を有している、請求項１又は２記載の使い捨ておむつ。
【００１２】
（作用効果）
凹欠部の形状がこのようであると、凹欠部の幅方向両側の部分とその股間側の凹欠部を有しない部分との境界部分の幅が狭くなり、凹欠部の幅方向両側の部分がその股間側の部分に対して変形し易くなるため、おむつの胴回りの伸縮性が向上するとともに、凹欠部の幅方向両側部分の吸収体面積（吸収量）をより大きく確保でき、さらに凹欠部のウエスト側の開口幅を狭くして、凹欠部内を通じた排泄物の漏れを低減することができる。
【００１３】
＜請求項４記載の発明＞
前記胴締め付け用弾性伸縮部材として、細長状弾性伸縮部材が対応する前記凹欠部に対して縦方向に間隔を空けて複数本設けられており、且つ凹欠部のうち縦方向中央よりもウエスト側に位置する部分が股間側に位置する部分よりも、幅方向に１５０％伸長したときの引張応力が強い、請求項１〜３のいずれか１項に記載の使い捨ておむつ。
【００１４】
（作用効果）
通常の吸収体幅の製品に対して本発明の凹欠部及び胴締め付け用弾性伸縮部材を設けると、胴回りの伸縮量が低下し、おむつがズレ落ちやすくなるおそれがある。これに対して、上述のように細長状弾性伸縮部材を複数設け、凹欠部のうち縦方向中央よりもウエスト側に位置する部分が股間側に位置する部分よりも、幅方向に１５０％（自由長を１００％としたとき）伸長したときの引張応力が強くなるように構成されていると、より効果的に締め付け力が作用し、おむつのズレ落ちが効果的に防止される。
【００１５】
【００１６】
【発明の効果】
【００１７】
以上のとおり、本発明によれば、胴回りの締め付けを確保しつつ、腸骨部分における摩擦を緩和し、カブレを防止できるようになる、等の利点がもたらされる。
【図面の簡単な説明】
【００１８】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】吸収体の平面図である。
【図７】パンツタイプ使い捨ておむつの要部のみを示す、断面図である。
【図８】パンツタイプ使い捨ておむつの斜視図である。
【図９】他の吸収体の平面図である。
【発明を実施するための形態】
【００１９】
以下、本発明の実施形態について、添付図面を参照しつつ詳説する。
図１〜図８は、パンツタイプ使い捨ておむつの一例１００を示している。このパンツタイプ使い捨ておむつ１００は、製品外面（裏面）をなす外装シート１２と、外装シート１２の内面に貼り付けられた内装体２００とから構成されているものである。内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。なお、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃量側部を重ね合わせるようにおむつ１００を股間部で２つに折った際に胴回り方向と直交する方向、換言すればウエスト開口部ＷＯ側と股間部側とを結ぶ方向を意味する。
【００２０】
（内装体）
内装体２００は任意の形状を採ることができるが、図示の形態では長方形である。内装体２００は、図３〜図５に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立するバリヤーカフス６０を示している。
【００２１】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００２２】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよく、エンボス等の加工を施してもよい。
【００２３】
バリヤーカフス６０を設ける場合、表面シート３０の両側部は、不透液性バックシート１１とバリヤーカフス６０との間を通して、吸収要素５０の裏側まで回りこませ、液の浸透を防止するために、不透液性バックシート１１及びバリヤーカフス６０に対してホットメルト接着剤等により接着するのが好ましい。
【００２４】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００２５】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１５〜８０ｇ／ｍ2が好ましく、２０〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００２６】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００２７】
（不透液性バックシート）
不透液性バックシート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。不透液性バックシート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、不透液性バックシート１１として用いることができる。
【００２８】
不透液性バックシート１１は、防漏性を高めるために、吸収要素５０の両側を回りこませて吸収要素５０の表面シート３０側面の両側部まで延在させるのが好ましい。この延在部の幅は、左右それぞれ５〜２０ｍｍ程度が適当である。
【００２９】
また、不透液性バックシート１１の内側、特に吸収体５６側面に、液分の吸収により色が変化する排泄インジケータを設けることができる。
【００３０】
（バリヤーカフス）
バリヤーカフス６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態のバリヤーカフス６０は、内装体２００の側部から起立するように設けられ、付け根側の部分は幅方向中央側に向かって斜めに起立し、中間部より先端側の部分は幅方向外側に向かって斜めに起立するものである。
【００３１】
より詳細には、バリヤーカフス６０は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸長状態で、幅方向に間隔をあけて複数本固定してなるものである。バリヤーカフス６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸長状態で固定されている。
【００３２】
バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。また、図示のように、二つに折り重ねたバリヤーシートの間に防水フィルムを介在させることもできる。なお、用語「伸長率」とは自由長を１００％としたときの値を意味する。
【００３３】
バリヤーカフス６０の自由部分に設けられる細長状弾性伸縮部材６３の本数は２〜８本が好ましく、３〜６本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００３４】
バリヤーカフス６０の取付部分６５の固定対象は、内装体２００における表面シート３０、不透液性バックシート１１、吸収要素５０等適宜の部材とすることができる。
【００３５】
かくして構成されたバリヤーカフス６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍においてバリヤーカフス６０が幅方向外側に開くように起立するため、バリヤーカフス６０が脚周りに面で当接するようになり、フィット性が向上するようになる。
【００３６】
バリヤーカフス６０の寸法は適宜定めることができるが、乳幼児用紙おむつの場合は、例えば図７に示すように、バリヤーカフス６０の起立高さ（展開状態における突出部分６６の幅方向長さ）Ｗ６は１５〜６０ｍｍ、特に２０〜４０ｍｍであるのが好ましい。また、バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００３７】
なお、図示形態と異なり、内装体２００の左右各側においてバリヤーカフスを二重に（二列）設けることもできる。
【００３８】
（吸収要素）
吸収要素５０は、吸収体５６と、この吸収体５６の全体を包む包装シート５８とを有する。包装シート５８は省略することもできる。
【００３９】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体 、複数の不織布の間に高吸収性ポリマーを挟んだものも使用できる。繊維目付けとしては、綿状パルプや短繊維を積繊する場合は、例えば５０〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４０】
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体とバリヤーカフス６０の、脚回りへのフィット性が向上するため好ましい。
【００４１】
また、吸収体の寸法は適宜定めることができるが、前後方向及び幅方向において、内装体の周縁部又はその近傍まで延在しているのが好ましい。
【００４２】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４３】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４４】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４５】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４６】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００４７】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００４８】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００４９】
（外装シート）
外装シート１２は、股間部から腹側に延在する前身頃Ｆを構成する部分と、股間部から背側に延在する後身頃Ｂを構成する部分とを有し、これら前身頃Ｆの両側部と後身頃Ｂの両側部とが接合されて、図８に示すように、装着者の胴を通すためのウエスト開口部ＷＯ及び脚を通すための左右一対の脚開口部ＬＯが形成されているものである。符号１２Ａは接合部分を示している（以下、この部分をサイドシール部ともいう）。なお、股間部とは、展開状態における前身頃Ｆのウエスト端縁から後身頃Ｂのウエスト端縁までの前後方向中央を意味し、それよりも前側の部分及び後側の部分が前身頃Ｆ及び後身頃Ｂをそれぞれ意味する。
【００５０】
外装シート１２は、ウエスト開口部ＷＯから脚開口部ＬＯの上端に至る前後方向範囲として定まる胴回り部Ｔと、脚開口部ＬＯを形成する部分の前後方向範囲（前身頃Ｆのサイドシール部１２Ａを有する前後方向領域と後身頃Ｂのサイドシール部１２Ａを有する前後方向領域と間）として定まる中間部Ｌとを有する。胴回り部Ｔは、概念的にウエスト開口部の縁部を形成する「ウエスト縁部」Ｗと、これよりも下側の部分である「ウエスト下部」Ｕとに分けることができる。これらの縦方向の長さは、製品のサイズによって異なり、適宜定めることができるが、一例を挙げると、ウエスト縁部Ｗは１５〜４０ｍｍ、ウエスト下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図８に示す形態のように、すっきりとした外観とするために最も幅が狭い部分では内装体２００の幅より狭くすることが好ましいが、最も幅が狭い部分でも内装体２００の幅以上となるように定めてもよい。
【００５１】
外装シート１２は、図３〜図５に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００５２】
シート基材１２Ｓ，１２Ｈとしては、シート状のものであれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。また、外装シート１２の総目付けは２０〜６０ｇ／ｍ2程度であるのが好ましい。
【００５３】
そして、外装シート１２には、胴回りに対するフィット性を高めるために、両シート基材１２Ｓ，１２Ｈ間に糸ゴム等の細長状弾性伸縮部材１７〜１９が所定の伸長率で設けられている。細長状弾性伸縮部材１７〜１９としては、合成ゴムを用いても、天然ゴムを用いても良い。外装シート１２の両シート基材１２Ｓ，１２Ｈの貼り合せや、その間に挟まれる細長状弾性伸縮部材１７〜１９の固定には種々の塗布方法によるホットメルト接着またはヒートシールや超音波接着を用いることができる。外装シート１２全面を強固に固定するとシートの風合いを損ねるため好ましくない。これらを組合せ、細長状弾性伸縮部材１７〜１９の接着は強固にし、それ以外の部分は接着しないか弱く接着するのが好ましい。
【００５４】
より詳細には、後身頃Ｂ及び前身頃Ｆのウエスト縁部Ｗにおける内側シート基材１２Ｈの内側面と外側シート基材１２Ｓの折り返し部分１２ｒの外側面との間には、幅方向全体にわたり連続するように、複数のウエスト縁部弾性伸縮部材１７が上下方向に間隔を空けて、かつ所定の伸長率で幅方向に沿って伸長された状態で固定されている。ウエスト縁部弾性伸縮部材１７のうち、ウエスト下部Ｕに隣接する領域に配設される１本または複数本については、内装体２００と重なっていてもよいし、内装体２００と重なる幅方向中央部を除いてその幅方向両側にそれぞれ設けてもよい。このウエスト縁部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト縁部弾性伸縮部材１７は、その全てが同じ太さと伸長率にする必要はなく、例えばウエスト縁部Ｗの上部と下部で弾性伸縮部材の太さと伸長率が異なるようにしてもよい。
【００５５】
また、前身頃Ｆ及び後身頃Ｂの胴回り部Ｔには、胴締め付け用弾性伸縮部材１８，１９がそれぞれ設けられている。この胴締め付け用弾性伸縮部材１８，１９については、後述する。
【００５６】
（外装シート分割構造）
上述の例では、前身頃Ｆから後身頃Ｂまでを一体的な外装シート１２により連続的に覆っているが、外装シートが、装着者の胴回りのうち腹側を覆う腹側外装シートと背側を覆う背側外装シートとに分割されており、腹側外装シートの幅方向中央部内面に内装体の前端部がホットメルト接着剤等により連結されるとともに、背側外装シートの幅方向中央部内面に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができる。この場合、内装体における不透液性バックシートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができる。股間部外装シートも外装シートの一部をなすものである。
【００５７】
（特徴部分について）
特徴的には、図２及び図６に示すように、吸収体５６における前身頃Ｆに位置する前側部分と後身頃Ｂに位置する後側部分の両方に、ウエスト側の縁の幅方向中央部から股間側に窪む形状の凹欠部５７を有している。凹欠部５７の形状は適宜定めることができ、図示例のように台形状とする他、図９に示すように円弧状としたり、矩形状や三角形状等としたりすることもできる。
【００５８】
凹欠部５７の寸法も適宜定めることができるが、凹欠部５７の最大幅５７Ｂは、吸収体５６の幅５６Ｘの２／１０〜５／１０程度とするのが好ましく、凹欠部５７のウエスト側の開口幅５７Ａは、吸収体５６の幅５６Ｘの１／１０〜４／１０程度とするのが好ましい。一方、凹欠部５７の縦方向長さ５７Ｃは、吸収体５６の長さ５６Ｙの２／１０〜４／１０程度とするのが好ましい。さらに、これらの寸法は、５７Ｃ≦５７Ｂ＞５７Ａ、及び５７Ｂ≦２×５７Ａの関係を満たしているのが好ましい。また、凹欠部５７の面積は、吸収体５６の面積の６％〜３６％とし、１０〜２５％程度とするのが好ましい。
【００５９】
また、特徴的には、凹欠部５７と対応する縦方向領域のうち、凹欠部５７内と重なる部分に胴締め付け用弾性伸縮部材１８，１９が幅方向に伸長された状態で取り付けられており、凹欠部５７の幅方向外側には弾性伸縮部材が設けられていない。
【００６０】
胴締め付け用弾性伸縮部材１８，１９としては、伸縮不織布やゴムシート等のシート状弾性伸縮部材を用いることもできるが、図示例のように細長状弾性伸縮部材を複数本、縦方向に間隔を空けて複数本設けるのが好ましく、その場合、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率１５０〜３５０％、特に１８０〜３００％程度で固定するのが好ましい。
【００６１】
胴締め付け用弾性伸縮部材１８，１９は、図示例では外装シート１２における内側シート基材１２Ｈの外側面と外側シート基材１２Ｓの内側面との間に挟持固定されているが、吸収体５６の裏面側である限り、吸収体５６と液不透過性シート１１との間等、内装体２００に設けたり、内装体２００と外装シート１２との間に設けたりすることもできる。胴締め付け用弾性伸縮部材１８，１９を設ける幅方向範囲は、図示例では凹欠部５７の周縁に一致させているが、凹欠部５７の幅方向外側又は内側の近傍とすることもできる。
【００６２】
このように、吸収体５６に凹欠部５７を設け、凹欠部５７と対応する縦方向領域のうち、凹欠部５７内及びその側部近傍と重なる幅方向中間部にのみ胴締め付け用弾性伸縮部材１８，１９を設けると、腸骨部分への締め付けがきつくならず、腸骨部分における摩擦が緩和され、カブレが発生し難くなる。しかも、凹欠部５７の幅は吸収体５６の変形により伸縮変化可能であるため、胴締め付け用弾性伸縮部材１８，１９による胴回りの締め付け機能も確保される。
【００６３】
さらに、胴締め付け用弾性伸縮部材１８，１９を有する身頃においては、胴締め付け用弾性伸縮部材１８，１９の収縮作用により幅方向に張られた状態となるため、排泄物がトップシート表面から肌に戻り難くなり、カブレ防止効果がより一層のものとなる。また、後身頃Ｂに胴締め付け用弾性伸縮部材１８，１９を有する場合には、後身頃Ｂの臀裂対向部が幅方向に張られた状態となるため、おむつが臀裂に食い込み難くなり、装着時の不快感を防止できるという効果も有する。
【００６４】
また、最も蒸れやすい部分に凹欠部５７が設けられ、通気性が向上するため、この点でもカブレ防止効果がより一層のものとなる。
【００６５】
特に、凹欠部５７の形状が、図６に示すようにウエスト側から股間側に向かうにつれて幅が広くなる形状であると、凹欠部５７の幅方向両側の部分とその股間側の凹欠部５７を有しない部分との境界部分の幅が狭くなり、凹欠部５７の幅方向両側の部分がその股間側の部分に対して変形し易くなるため、おむつの胴回りの伸縮性が向上するとともに、凹欠部５７の幅方向両側部分の吸収体５６面積（吸収量）をより大きく確保でき、さらに凹欠部５７のウエスト側の開口幅を狭くして、凹欠部５７内を通じた排泄物の漏れを低減することができる。
【００６６】
一方、吸収体５６に凹欠部５７を設けると吸収量が低下し、凹欠部５７内を通じて背漏れ又は腹漏れするおそれがある。そこで、図５及び図６に示すように、吸収体５６における凹欠部５７の周縁部５７ｅを他の部位よりもトップシート３０側に膨出させることも提案する。膨出部分５７ｅの幅Ｗ１は５〜１５ｍｍ程度とするのが好ましく、周囲に対する膨出高さ５７ｈは２〜９ｍｍ程度であるのが好ましい。膨出部分５７ｅは、例えば吸収体５６の繊維目付を凹欠部５７の周縁部のみ周囲よりも多く、例えば１．２〜３倍、特に１．５〜２倍とすることにより形成できる。この場合における膨出部分５７ｅ以外の部分における繊維目付は、５０〜３００ｇ／ｍ2程度、特に１００〜２００ｇ／ｍ2程度とするのが望ましい。
【００６７】
このように、凹欠部５７の周縁部５７ｅが他の部位よりもトップシート側３０に膨出していると、凹欠部５７の周縁部５７ｅが堤体となって排泄物が凹欠部５７内に流れ込むのが阻止されるとともに、身体表面に対する隙間も発生し難くなるため、凹欠部５７内を通じた背漏れ又は腹漏れを防止できるようになる。また、凹欠部５７の周縁部５７ｅの厚みにより、胴締め付け用弾性伸縮部材１８，１９が身体表面から遠い位置に離れて保持され、凹欠部５７内を介して身体表面を締め付けるといった状態になり難い。よって、胴締め付け用弾性伸縮部材１８，１９が凹欠部５７内を介して身体表面を締め付けることに起因する摩擦増及びそれによるカブレも防止される。
【００６８】
他方、通常の吸収体５６幅の製品に対して本発明の凹欠部５７及び胴締め付け用弾性伸縮部材１８，１９を設けると、胴回りの伸縮量が低下し、おむつがズレ落ちやすくなるおそれがある。そこで、図示例のように、胴締め付け用弾性伸縮部材１８，１９としての細長状弾性伸縮部材を縦方向に間隔を空けて複数本設け、且つ凹欠部５７のうち縦方向中央よりもウエスト側に位置する部分における幅方向１５０％伸長時（自由長を１００％としたとき）の引張応力を、股間側に位置する部分よりも強くするのが好ましい。この凹欠部５７のウエスト側に位置する一定幅の部分、及び股間側に位置する一定幅の部分における引張応力の大小関係は、凹欠部５７のうち縦方向中央よりもウエスト側に位置する細長状弾性伸縮部材１８の太さ、本数又は固定時伸長率を、股間側に位置する細長状弾性伸縮部材１９の太さ、本数又は固定時伸長率よりも、それぞれ太く、多く又は高くすることにより形成することができる。このように、細長状弾性伸縮部材１８，１９を複数設け、凹欠部５７のうち縦方向中央よりもウエスト側に位置する部分が股間側に位置する部分よりも、幅方向に１５０％伸長したときの引張応力が強くなるように構成されていると、より効果的に締め付け力が作用し、おむつのズレ落ちが効果的に防止される。
【００６９】
（その他）
（ａ）上記例では、前身頃Ｆ及び後身頃Ｂの両方において、吸収体５６に凹欠部５７を設けるとともに胴締め付け用弾性伸縮部材１８，１９を設けているが、前身頃Ｆ及び後身頃Ｂのいずれか一方のみ（特に前身頃Ｆのみとするのが好ましい）とし、他方は従来と同様に、胴回り部Ｔ（少なくともウエスト下部には設けるのが好ましい）に、幅方向全体にわたり、又は吸収体５６と重なる幅方向中央部を除いてその両側に、胴締め付け用弾性伸縮部材を幅方向に伸長した状態で取り付けても良い。これにより、胴回りの伸縮量をより多く確保することができる。なお、胴回り部Ｔにおける吸収体５６と重なる幅方向中央部を除いてその幅両側に胴締め付け用弾性伸縮部材が設けられている形態には、幅方向両側にのみ弾性伸縮部材が存在する形態の他、幅方向全体にわたり弾性伸縮部材が存在しているが、吸収体５６と重なる幅方向中央部では弾性伸縮部材が細かく切断され、収縮力が作用せず（実質的には、弾性伸縮部材を設けないことに等しい）に、その幅方向両側のみが収縮力作用部分として構成されている形態も含まれる。
【産業上の利用可能性】
【００７０】
本発明は、パンツタイプ使い捨ておむつに利用できるものである。
【符号の説明】
【００７１】
１１…不透液性バックシート、１２…外装シート、１２ｒ…折り返し部分、２００…内装体、３０…トップシート、４０…中間シート、５０…吸収要素、５６…吸収体、５８…包装シート、６０…側部バリヤーカフス、６２…バリヤーシート。
【図１】
0005554673.tif 000002
【図２】
0005554673.tif 000003
【図３】
0005554673.tif 000004
【図４】
0005554673.tif 000005
【図５】
0005554673.tif 000006
【図６】
0005554673.tif 000007
【図７】
0005554673.tif 000008
【図８】
0005554673.tif 000009
【図９】
0005554673.tif 000010